(57)【要約】【課題】  ベビーカーに収納されこのベビーカーとともに容易に持ち歩くことができる補助椅子を備えたベビーカーを提供する。【解決手段】  ３つ折り状態に折り畳みが可能となされたベビーカーにおいて、座面シート２４の下方に収納される状態とこの座面シート２４の前方側に引き出される状態とに亘って前後にスライド可能であり折り畳み可能な補助椅子脚部２８を有する補助椅子２９を設けた。この補助椅子２９は、座面シート２４の前方側に引き出された状態において、補助椅子脚部２８によって支持されることにより、使用可能な状態となる。【選択図】  図１Ａ
2005349996.tif 000002
【特許請求の範囲】
【請求項１】
２箇所の折曲部を有する上側連結バーによって連結された左右一対の前脚と、
前記左右一対の前脚の下端部に取付けられた左右一対の前輪と、
２箇所の折曲部を有する後側連結バーによって連結された左右一対の手押杆と、
前記左右一対の手押杆の下端側においてこの手押杆に対して回動可能に取付けられた左右一対の後脚と、
前記左右一対の後脚の下端部に取付けられた左右一対の後輪と、
前記左右一対の前脚と前記左右一対の手押杆の下端部との間を連結する左右一対の前後連結バーと、
前記左右一対の前後連結バー及び前記左右一対の手押杆とにより支持された座面シートと、
前記上側連結バーに対して、前記座面シートの下方に収納される状態とこの座面シートの前方側に引き出される状態とに亘って、前後方向にスライド可能に支持され、前記上側連結バーにおける２箇所の折曲部の間の距離以下の幅となされ折り畳み可能な補助椅子脚部を有する補助椅子と
を備え、
前記補助椅子を前記座面シートの前方側に引き出した状態において、この補助椅子を前記補助椅子脚部によって支持させることにより補助椅子が使用可能となるとともに、この補助椅子を前記座面シートの下方に収納した状態において、前記左右一対の前脚、前記左右一対の手押杆及び前記左右一対の後脚が互いに略々平行とされ、前記前側連結バー及び前記後側連結バーが前記各折曲部において折曲されて３つ折り状態とされる
ことを特徴とするベビーカー。
【請求項２】
２箇所の折曲部を有する上側連結バーによって連結された左右一対の前脚と、
前記左右一対の前脚の下端部に取付けられた左右一対の前輪と、
２箇所の折曲部を有する後側連結バーによって連結された左右一対の手押杆と、
前記左右一対の手押杆の下端側においてこの手押杆に対して回動可能に取付けられた左右一対の後脚と、
前記左右一対の後脚の下端部に取付けられた左右一対の後輪と、
前記左右一対の前脚と前記左右一対の手押杆の下端部との間を連結する左右一対の前後連結バーと、
前記左右一対の前後連結バー及び前記左右一対の手押杆とにより支持された座面シートと、
前記上側連結バーに対して、前記座面シートの下方に収納される状態とこの座面シートの前方側に引き出される状態とに亘って、前後方向にスライド可能に支持され、略々前記上側連結バーの長さに相当する幅となされ、この上側連結バーの２箇所の折曲部に相当する位置に２箇所の折曲部を有し、折り畳み可能な補助椅子脚部を有する補助椅子と
を備え、
前記補助椅子を前記座面シートの前方側に引き出した状態において、この補助椅子を前記補助椅子脚部によって支持させることにより補助椅子が使用可能となるとともに、この補助椅子を前記座面シートの下方に収納した状態において、前記左右一対の前脚、前記左右一対の手押杆及び前記左右一対の後脚が互いに略々平行とされ、前記前側連結バー、前記後側連結バー及び前記補助椅子が前記各折曲部において折曲されて３つ折り状態とされる
ことを特徴とするベビーカー。
【請求項３】
前記補助椅子脚部は、前記左右一対の前脚と共働して、前記補助椅子を支持する
ことを特徴とする請求項１、または、請求項２記載のベビーカー。
【請求項４】
補助椅子枠体と、
前記補助椅子枠体に設けられ、ベビーカーの左右一対の前脚、または、ベビーカーの前脚及び後脚に対して掛合する掛合手段と、
前記補助椅子枠体に対して折り畳み可能に取付けられた補助椅子脚部と
を備え、
前記補助椅子脚部は、前記左右一対の前脚、または、前記前脚及び後脚と共働して、前記補助椅子枠体を支持する
ことを特徴とするベビーカー用補助椅子。
【発明の詳細な説明】
【技術分野】
【０００１】
本発明は、携帯時等において３つ折り状態とすることができるベビーカーに関する。
【０００２】
また、本発明は、ベビーカーに取り付けて使用することができるベビーカー用補助椅子に関する。
【背景技術】
【０００３】
従来、乳幼児を載せるためのベビーカーとして、必要に応じて折り畳むことを可能とし、収納や携帯を容易としたものが提案されている。
【０００４】
例えば、特許文献１には、図７に示すように、下端部に前輪１１１，１１１が取付けられた左右一対の前脚１１２，１１２、下端部に後輪１１３，１１３が取付けられた左右一対の後脚１１４，１１４、左右一対の手押杆１１５，１１５、左右一対のアームレスト１１６，１１６及びこれらアームレスト１１６、１１６間に掛け渡された着脱可能なガードアーム１１７を有して構成された折り畳み可能なベビーカーが記載されている。左右一対の手押杆１１５，１１５は、上端側が互いに連結され、逆Ｕ字状に屈曲された部材を構成している。
【０００５】
手押杆１１５，１１５の下端部近傍には、それぞれアームレスト１１６、１１６の後端部が回動可能に接続されており、各アームレスト１１６，１１６の前端部には各前脚１１２，１１２の上端部が回動可能に接続されている。また、左右一対の後脚１１４，１１４の上端部は、アームレスト１１６，１１６の中間部に回動可能に接続されている。そして、各後脚１１４，１１４の中間部には、それぞれブラケット１１９，１１９が取付けられている。これらブラケット１１９，１１９の中間位置には、手押杆１１５，１１５の下端部がそれぞれ回動可能に接続されており、ベビーカーの展開状態において、ブラケット１１９，１１９に形成された係合部に各手押杆１１５，１１５の下端部に摺動可能に装着されたロック部材１２０，１２０が係合し、展開状態が維持されるようなっている。
【０００６】
一方、左右の前脚１１２，１１２は、前側連結バー１２１及び図示しない上側連結バーによって連結されている。また、左右の後脚１１４，１１４は、後側連結バー１２２によって連結されている。さらに、各前脚１１２，１１２の中間部には、前後連結バー１２３，１２３の前端部が回動可能に接続されている。これら前後連結バー１２３，１２３の後端部は、手押杆１１５，１１５の先端部に回動可能に接続されている。
【０００７】
そして、左右一対の前後連結バー１２３，１２３及び左右一対の手押杆１１５，１１５により、布製の座面シート１２４が支持されている。
【０００８】
このベビーカーにおいては、手押杆１１５，１１５の下端部に設けられているロック部材１２０，１２０をブラケット１１９，１１９に設けられている係止部に係合することによって、使用可能な展開状態に保持される。
【０００９】
そして、このベビーカーにおいては、各手押杆１１５，１１５の上端部同士を連結している部分に設けられている操作装置１２５を操作することにより、ロック部材１２０，１２０とブラケット１１９，１１９との係合が離脱され、アームレスト１１６，１１６及び前後連結バー１２３，１２３が手押杆１１５，１１５との各回動可能な接続点を中心として上方に回動可能となる。そして、各前脚１１２，１１２と各後脚１１４，１１４とが略々平行となる状態に、折り畳まれることができる。
【００１０】
さらに、このベビーカーにおいては、各手押杆１１５，１１５の上端部同士を連結している部分、前側連結バー１２１、後側連結バー１２２及び上側連結バーは、それぞれが２箇所の折曲部（ジョイント）を有しており、この折曲部における折り畳みが可能となっている。
【００１１】
すなわち、前述のように、各前脚１１２，１１２と各後脚１１４，１１４とが略々を平行となる状態に折り畳んだ後、さらに、左右の手押杆１１５，１１５を前方に移動させると、これら手押杆１１５，１１５の上端部同士を連結している部分、前側連結バー１２１、後側連結バー１２２及び上側連結バーの両端部が前方に折り曲げられ、このベビーカーは、３つ折り状態に折り畳むことができる。
【００１２】
【特許文献１】特開２００３−６３４０９公報
【発明の開示】
【発明が解決しようとする課題】
【００１３】
ところで、前述のような３つ折り状態に折り畳むことができるベビーカーは、一般に、生後２歳乃至３歳程度の幼児が乗車して使用するものである。生後２歳乃至３歳程度の幼児は、１歳未満の乳幼児と異なり、外出中、常に乗車しているわけではなく、例えば、公園の砂場などにおいては、降車して自ら歩行して遊ぶことも多い。
【００１４】
このように、幼児がベビーカーから降車して自ら歩行して遊んでいる間、幼児の引率者（保護者）は、幼児が遊んでいる砂場などの近くにおいて、待っていなければならない。このとき、幼児の引率者は、ずっと起立したままで待っているのは大変なので、椅子が必要となるのであるが、ベビーカーとは別に椅子を持ち歩くのは煩雑であり、使用していない状態の椅子は邪魔である。
【００１５】
そこで、本発明は、前述のような実情に鑑みて提案されるものであり、ベビーカーに収納されこのベビーカーとともに容易に持ち歩くことができる補助椅子を備えたベビーカーを提供することを第１の目的とする。
【００１６】
また、本発明は、ベビーカーに収納可能であり、このベビーカーとともに容易に持ち歩くことができるベビーカー用補助椅子を提供することを第２の目的とする。
【課題を解決するための手段】
【００１７】
本発明は、前述の課題を解決するため、以下の特徴を備えるものである。
【００１８】
請求項１に記載の本発明に係るベビーカーは、２箇所の折曲部を有する上側連結バーによって連結された左右一対の前脚と、これら前脚の下端部に取付けられた左右一対の前輪と、２箇所の折曲部を有する後側連結バーによって連結された左右一対の手押杆と、これら手押杆の下端側においてこの手押杆に対して回動可能に取付けられた左右一対の後脚と、これら後脚の下端部に取付けられた左右一対の後輪と、左右一対の前脚と左右一対の手押杆の下端部との間を連結する左右一対の前後連結バーと、左右一対の前後連結バー及び左右一対の手押杆とにより支持された座面シートと、上側連結バーに対して座面シートの下方に収納される状態とこの座面シートの前方側に引き出される状態とに亘って前後方向にスライド可能に支持され上側連結バーにおける２箇所の折曲部の間の距離以下の幅となされ折り畳み可能な補助椅子脚部を有する補助椅子とを備え、補助椅子を座面シートの前方側に引き出した状態において、この補助椅子を補助椅子脚部によって支持させることにより補助椅子が使用可能となるともに、この補助椅子を座面シートの下方に収納した状態において、左右一対の前脚、左右一対の手押杆及び左右一対の後脚が互いに略々平行とされ前側連結バー及び後側連結バーが各折曲部において折曲されて３つ折り状態とされることを特徴とするものである。
【００１９】
また、請求項２に記載の本発明に係るベビーカーは、２箇所の折曲部を有する上側連結バーによって連結された左右一対の前脚と、これら前脚の下端部に取付けられた左右一対の前輪と、２箇所の折曲部を有する後側連結バーによって連結された左右一対の手押杆と、これら手押杆の下端側においてこの手押杆に対して回動可能に取付けられた左右一対の後脚と、これら後脚の下端部に取付けられた左右一対の後輪と、左右一対の前脚と左右一対の手押杆の下端部との間を連結する左右一対の前後連結バーと、左右一対の前後連結バー及び左右一対の手押杆とにより支持された座面シートと、上側連結バーに対して座面シートの下方に収納される状態とこの座面シートの前方側に引き出される状態とに亘って前後方向にスライド可能に支持され略々上側連結バーの長さに相当する幅となされこの上側連結バーの２箇所の折曲部に相当する位置に２箇所の折曲部を有し折り畳み可能な補助椅子脚部を有する補助椅子とを備え、補助椅子を座面シートの前方側に引き出した状態において、この補助椅子を補助椅子脚部によって支持させることにより補助椅子が使用可能となるとともに、この補助椅子を座面シートの下方に収納した状態において、左右一対の前脚、左右一対の手押杆及び左右一対の後脚が互いに略々平行とされ前側連結バー、後側連結バー及び補助椅子が各折曲部において折曲されて３つ折り状態とされることを特徴とするものである。
【００２０】
そして、請求項３に記載の本発明に係るベビーカーは、請求項１、または、請求項２記載のベビーカーにおいて、補助椅子脚部は、左右一対の前脚と共働して、補助椅子を支持することを特徴とするものである。
【００２１】
また、請求項４に記載の本発明に係るベビーカー用補助椅子は、補助椅子枠体と、この補助椅子枠体に設けられベビーカーの左右一対の前脚、または、ベビーカーの前脚及び後脚に対して掛合する掛合手段と、補助椅子枠体に対して折り畳み可能に取付けられた補助椅子脚部とを備え、補助椅子脚部は、左右一対の前脚、または、前脚及び後脚と共働して、補助椅子枠体を支持することを特徴とするものである。
【発明の効果】
【００２２】
本発明に係るベビーカーにおいては、補助椅子を座面シートの前方側に引き出した状態において、この補助椅子が補助椅子脚部によって支持される状態とすることができる。
【００２３】
すなわち、本発明は、ベビーカーに収納されこのベビーカーとともに容易に持ち歩くことができる補助椅子を備えたベビーカーを提供することができるものである。
【００２４】
また、このベビーカーにおいて、補助椅子脚部がベビーカーの左右一対の前脚と共働して補助椅子を支持するようにすれば、補助椅子脚部の構造を簡素化することができる。
【００２５】
そして、本発明に係るベビーカー用補助椅子においては、補助椅子脚部は、ベビーカーの左右一対の前脚、または、前脚及び後脚と共働して、補助椅子枠体を支持する。このベビーカー用補助椅子においては、補助椅子脚部の構造を簡素化することができるので、折り畳んだ状態におけるベビーカーの座面シート内等に収納可能に構成することができる。
【００２６】
すなわち、本発明は、ベビーカーに収納可能であり、このベビーカーとともに容易に持ち歩くことができるベビーカー用補助椅子を提供することができるものである。
【発明を実施するための最良の形態】
【００２７】
以下、図面を参照しながら、本発明の最良の実施の形態について説明する。
【００２８】
本発明に係るベビーカーは、乳幼児を載せるために構成され、必要に応じて折り畳むことが可能となっており、収納や携帯が容易となされたものである。
【００２９】
〔ベビーカーの第１の実施の形態〕
このベビーカーは、図１Ａに示すように、下端部に前輪１１，１１が取付けられた左右一対の前脚１２，１２及び下端部に後輪１３，１３が取付けられた左右一対の後脚１４，１４を有している。これら前脚１２，１２及び後脚１４，１４の上端部は、左右一対のアームレスト１６，１６の回動可能に取付けられている。
【００３０】
すなわち、左側の前脚１２の上端部が左側のアームレスト１６の前端側に取付けられ、左側の後脚１４の上端部が左側のアームレスト１６の中間部に取付けられ、右側の前脚１２の上端部が右側のアームレスト１６の前端側に取付けられ、右側の後脚１４の上端部が右側のアームレスト１６の中間部に取付けられている。
【００３１】
そして、一対の後脚１４，１４の中途部には、左右一対の手押杆１５，１５の下端部が、それぞれブラケット１９，１９を介して、回動可能に取付けられている。これら手押杆１５，１５は、上端側が互いに連結部材２５によって連結され、逆Ｕ字状に屈曲された部材を構成している。
【００３２】
また、一対のアームレスト１６、１６の後端部は、手押杆１５，１５の下端部近傍に回動可能に接続されている。これらアームレスト１６、１６の前端部間には、着脱可能で、かつ、可撓性を有するガードアーム１７が掛け渡されている。
【００３３】
このベビーカーの展開状態においては、ブラケット１９，１９に形成された係合部に各手押杆１５，１５の下端部に摺動可能に装着されたロック部材２０，２０が係合し、展開状態が維持されるようなっている。
【００３４】
そして、左右の前脚１２，１２は、前側連結バー２１ａ及び上側連結バー２１ｂによって連結されている。また、左右の後脚１４，１４は、後側連結バー２２によって連結されている。さらに、各前脚１２，１２の中間部には、前後連結バー２３，２３の前端部が回動可能に接続されている。これら前後連結バー２３，２３の後端部は、手押杆１５，１５の先端部に回動可能に接続されている。
【００３５】
さらに、このベビーカーにおいては、各手押杆１５，１５の上端部同士を連結している連結部材２５、前側連結バー２１ａ、後側連結バー２２及び上側連結バーは、それぞれが２箇所の折曲部（ジョイント）を有しており、後述するように、この折曲部における折り畳みが可能となっている。
【００３６】
そして、上側連結バー２１ｂ、左右一対の前後連結バー２３，２３及び左右一対の手押杆１５，１５により、布などの可撓性材料からなる座面シート２４が支持されている。この座面シート２４は、座面となる下方側の前縁部を上側連結バー２１ｂにより支持され、下方側の両側部を各前後連結バー２３，２３により支持され、背もたれ部となる上方側の両側部を各手押杆１５，１５により支持されている。
【００３７】
そして、このベビーカーは、上側連結バー２１ｂにおける２箇所の折曲部の間の距離以下の幅となされた補助椅子２９を備えている。この補助椅子２９は、上側連結バー２１ｂに対して、スライダ２７を介して取付けられている。そして、この補助椅子２９は、図１Ｂに示すように、座面シート２４の下方に収納される状態と、この座面シート２４の前方側に引き出される状態とに亘って、図１Ｂ中に矢印Ａで示すように、前後方向にスライド可能となされている。スライダ２７としては、２段式のスライドレールや、３段式のスライドレールなどを使用することができる。
【００３８】
この補助椅子２９は、図１Ａに示すように、折り畳み可能となされた４本の補助椅子脚部２８を有している。
【００３９】
このベビーカーにおいては、手押杆１５，１５の下端部に設けられているロック部材２０，２０をブラケット１９，１９に設けられている係止部に係合することによって、使用可能な展開状態に保持される。
【００４０】
このようにベビーカーを展開状態とし、補助椅子２９を座面シート２４の前方側に引き出した状態においては、補助椅子脚部２８を展開し、この補助椅子脚部２８によって補助椅子２９を支持させることにより、この補助椅子２９が使用可能となる。この補助椅子２９は、標準的な体重の成人が座ることができる強度を有している。
【００４１】
なお、この実施の形態においては、補助椅子２９は、両端側が補助椅子脚部２８，２８となり中央部分が補助椅子枠体２６を構成するコ字状に屈曲された一対の部材によって構成されている。すなわち、これらコ字状の部材は、それぞれの補助椅子脚部２８を互いに支軸２８ａによって回動可能に支持されており、略々９０°に展開された状態で、補助椅子２９を使用可能とする。このとき、これらコ字状の部材の中央部分は、互いに離間されて、補助椅子枠体２６を構成する。この補助椅子枠体２６には、可撓性材料からなる座面２６ａが取付けられている。また、補助椅子枠体２６となるコ字状の部材の中央部分のうちの一方は、スライダ２７に対し、図１Ａ中に矢印Ｂで示すように、回動可能に取付けられている。
【００４２】
すなわち、この補助椅子２９は、図１Ｂに示すように、各補助椅子脚部２８が互いに平行となるように折り畳み、さらに、これら各補助椅子脚部２８をスライダ２７に対して平行な状態に回動させることにより、座面シート２４の下方に収納される状態と、この座面シート２４の前方側に引き出される状態とに亘って、前後方向にスライド可能となる。
【００４３】
なお、この補助椅子２９は、前述のように、補助椅子脚部２８を４本備えているものに限定されず、補助椅子脚部２８を３本備えているものとしてもよい。３本の補助椅子脚部２８を備えていれば、補助椅子２９は、これら補助椅子脚部２８により安定して支持されることができる。
【００４４】
そして、このベビーカーにおいては、補助椅子２９を折り畳み、この補助椅子２９を座面シートの下方に収納した状態とし、各手押杆１５，１５の上端部同士を連結している連結部材２５に設けられている操作装置２５ａを操作すると、ロック部材２０，２０とブラケット１９，１９との係合が離脱され、図１Ａ中に矢印Ｃで示すように、アームレスト１６，１６及び前後連結バー２３，２３が手押杆１５，１５との各回動可能な接続点を中心として上方に回動可能となる。そして、各前脚１２，１２と各後脚１４，１４とが略々平行となる状態に、折り畳まれることができる。
【００４５】
さらに、左右の手押杆１５，１５を前方に移動させると、連結部材２５、前側連結バー２１ａ、上側連結バー２１ｂ及び後側連結バー２２がそれぞれの２箇所の折曲部において折曲され、これら連結部材２５、前側連結バー２１ａ、上側連結バー２１ｂ及び後側連結バー２２の両端側が前方に向けて折り曲げられ、このベビーカーは、図２に示すように、３つ折り状態に折り畳むことができる。
【００４６】
このとき、補助椅子２９は、上側連結バー２１ｂの２箇所の折曲部の間に位置し、座面シート２４の下方側部分の中央部分に沿った状態となっており、上側連結バー２１ｂの折曲部における折曲を阻害することがない。
【００４７】
なお、各前後連結バー２３，２３の前端部には、このベビーカーが３つ折りに折り畳まれた状態で保持されるための掛止部材を設けてもよい。これら掛止部材は、互いに掛合することにより、ベビーカーを３つ折りに折り畳まれた状態に保持する。
【００４８】
〔ベビーカーの第２の実施の形態〕
また、本発明に係るベビーカーは、図３に示すように、前述の第１の実施の形態におけるベビーカーにおいて、補助椅子２９を略々上側連結バー２１ｂの長さに相当する幅を有し上側連結バー２１ｂの２箇所の折曲部に相当する位置に２箇所の折曲部２６ｂ，２６ｂを有するものとして構成してもよい。
【００４９】
この場合にも、補助椅子２９は、上側連結バー２１ｂに対して、座面シート２４の下方に収納される状態と、この座面シート２４の前方側に引き出される状態とに亘って、前後方向にスライド可能に支持されている。そして、補助椅子２９を座面シート２４の前方側に引き出した状態において、補助椅子脚部２８を展開して支持させることにより、補助椅子２９が使用可能な状態となる。
【００５０】
この実施の形態において、補助椅子２９において補助椅子枠体２６に取付けられた座面２６ａは、上側連結バー２１ｂの長さに相当する幅を有し、上側連結バー２１ｂの２箇所の折曲部に相当する位置に２箇所の折曲部２６ｂ，２６ｂを有している。この補助椅子２９は、各補助椅子脚部２８が互いに平行となるように折り畳み、さらに、これら各補助椅子脚部２８をスライダ２７に対して平行な状態に回動させることにより、座面シート２４の下方に収納される状態と、この座面シート２４の前方側に引き出される状態とに亘って、前後方向にスライド可能となる。このようにスライドされるとき、座面２６ａは、２箇所の折曲部２６ｂ，２６ｂが展開されて略々平面状である状態となっている。
【００５１】
座面２６ａには、座面シート２４の前方側に引き出された状態において、２箇所の折曲部２６ｂ，２６ｂの外側部分が図３中に矢印Ｄで示す下方側に折曲することを防止する機構が設けられている。このような機構は、座面２６ａを所定の厚みを有する板状体として構成し上面部に蝶番を設けることや、掛合フックを設けることなどによって構成することができる。この場合には、この座面２６ａは、補助椅子枠体２６となるコ字状の部材の中央部分のうちの一方に対して、着脱可能であることとしておくとよい。また、このベビーカーにおいて、座面２６ａは、補助椅子２９の使用状態において両側部分を各前脚１２，１２に掛合させてこれら前脚１２，１２によって支持されるようにするため、この両側部分に掛合フックを有することとしてもよい。
【００５２】
このベビーカーにおいては、補助椅子２９を折り畳み、この補助椅子２９を座面シートの下方に収納した状態において、各手押杆１５，１５の上端部同士を連結している連結部材２５に設けられている操作装置２５ａを操作すると、ロック部材２０，２０とブラケット１９，１９との係合が離脱され、図３中に矢印Ｃで示すように、アームレスト１６，１６及び前後連結バー２３，２３が手押杆１５，１５との各回動可能な接続点を中心として上方に回動可能となる。そして、各前脚１２，１２と各後脚１４，１４とが略々平行となる状態に、折り畳まれることができる。
【００５３】
そして、左右の手押杆１５，１５を前方に移動させると、連結部材２５、前側連結バー２１ａ、上側連結バー２１ｂ及び後側連結バー２２がそれぞれの２箇所の折曲部において折曲され、これら連結部材２５、前側連結バー２１ａ、上側連結バー２１ｂ及び後側連結バー２２の両端側が前方に向けて折り曲げられ、このベビーカーは、３つ折り状態に折り畳むことができる。このとき、補助椅子２９の座面２６ａも、各折曲部２６ｂ，２６ｂにおいて折曲されて、３つ折り状態となされる。すなわち、補助椅子２９の座面２６ａは、座面シート２４の下方側部分に沿った状態となされて、各折曲部２６ｂ，２６ｂにおいて折曲されるので、上側連結バー２１ｂの折曲部における折曲を阻害することがない。
【００５４】
なお、補助椅子２９の座面２６ａは、各折曲部２６ｂ，２６ｂにおいて折曲されて３つ折りとされた状態で、座面シート２４の下方に収納される状態と、この座面シート２４の前方側に引き出される状態とに亘って、前後方向にスライド可能であることとしてもよい。
【００５５】
〔ベビーカーの第３の実施の形態〕
さらに、本発明に係るベビーカーは、前述の第１の実施の形態におけるベビーカーにおいて、図４に示すように、補助椅子脚部２８は、左右一対の前脚１２，１２と共働して、補助椅子枠体２６を支持するものとして構成してもよい。
【００５６】
すなわち、このベビーカーにおける補助椅子２９は、上側連結バー２１ｂにおける２箇所の折曲部の間の距離以下の幅となされ、上側連結バー２１ｂに対して、スライダを介して取付けられている。この補助椅子２９は、座面シート２４の下方に収納される状態と、この座面シート２４の前方側に引き出される状態とに亘って、前後方向にスライド可能となされている。
【００５７】
この補助椅子２９は、補助椅子枠体２６に対して折り畳み可能で、かつ、伸縮可能となされた２本の補助椅子脚部２８を有している。これら補助椅子脚部２８は、上側連結バー２１ｂに対してスライド可能に支持された補助椅子枠体２６に対し、基端部が回動可能に取付けられている。また、これら補助椅子脚部２８は、上端側と下端側とが互いに外径の異なる円筒状の部材により構成されており、小径の部材が大径の部材内に嵌入していることによって、伸縮可能となっており、それぞれの中途部に伸縮固定部２８ｂを備えている。この伸縮固定部２８ｂは、例えば、補助椅子脚部２８をなす大径の部材に設けられたネジ溝に螺合されており、この大径の部材に対して締め込まれることにより、小径の部材の移動（伸縮）を阻止するようになっている。
【００５８】
また、補助椅子枠体２６は、ベビーカーの左右一対の前脚１２，１２に掛合させてこれら前脚１２，１２によって支持されるための左右一対の掛合フック部材２６ｃを有している。これら掛合フック部材２６ｃは、補助椅子枠体２６に対して基端側を回動可能に取付けられており、先端側には、各前脚１２，１２に対して掛合する一対の掛合手段３０，３０が設けられている。これら掛合手段３０，３０は、ベビーカーの左右一対の前脚１２，１２を挟持して、これら前脚１２，１２に掛合するように構成されている。これら掛合手段３０，３０は、前脚１２，１２をバネ力によって挟持するためのバネや、あるいは、前脚１２，１２をネジ止めによって挟持するための止めネジ等を備えている。
【００５９】
このベビーカーにおいては、ベビーカーを展開状態とし、補助椅子２９を座面シート２４の前方側に引き出した状態において、補助椅子脚部２８を展開して伸長させ、各掛合フック部材２６ｃの掛合手段３０，３０を前脚１２，１２に掛合させることにより、補助椅子２９が補助椅子脚部２８及びベビーカーの前脚１２，１２によって支持され、この補助椅子２９が使用可能となる。
【００６０】
なお、この補助椅子２９は、前述のように、補助椅子脚部２８を２本備えているものに限定されず、補助椅子脚部２８を１本備えているものとしてもよい。１本の補助椅子脚部２８を備えていれば、補助椅子２９は、この補助椅子脚部２８及びベビーカーの前脚１２，１２により安定して支持されることができる。すなわち、この補助椅子２９においては、補助椅子脚部２８及び左右一対の前脚１２，１２との共働によって支持されるようになっているため、補助椅子脚部２８の本数は、１本乃至２本でよく、構造が簡素化されている。
【００６１】
また、この実施の形態において、補助椅子脚部２８は、伸縮可能であるものに限定されず、中途部に関節部を有し、この関節部において折り畳み可能となっているものであってもよい。
【００６２】
そして、このベビーカーにおいては、補助椅子２９を折り畳み、この補助椅子２９を座面シート２４の下方に収納した状態とし、各手押杆１５，１５の上端部同士を連結している連結部材２５に設けられている操作装置２５ａを操作すると、ロック部材２０，２０とブラケット１９，１９との係合が離脱され、図４中に矢印Ｃで示すように、アームレスト１６，１６及び前後連結バー２３，２３が手押杆１５，１５との各回動可能な接続点を中心として上方に回動可能となる。そして、各前脚１２，１２と各後脚１４，１４とが略々平行となる状態に、折り畳まれることができる。
【００６３】
さらに、左右の手押杆１５，１５を前方に移動させると、連結部材２５、前側連結バー２１ａ、上側連結バー２１ｂ及び後側連結バー２２がそれぞれの２箇所の折曲部において折曲され、これら連結部材２５、前側連結バー２１ａ、上側連結バー２１ｂ及び後側連結バー２２の両端側が前方に向けて折り曲げられ、このベビーカーは、図２に示すように、３つ折り状態に折り畳むことができる。
【００６４】
このとき、補助椅子２９は、上側連結バー２１ｂの２箇所の折曲部の間に位置し、座面シート２４の下方側部分の中央部分に沿った状態となっており、上側連結バー２１ｂの折曲部における折曲を阻害することがない。
【００６５】
〔ベビーカーの第４の実施の形態〕
また、本発明に係るベビーカーは、図５に示すように、前述の第３の実施の形態におけるベビーカーにおいて、補助椅子２９を略々上側連結バー２１ｂの長さに相当する幅を有し上側連結バー２１ｂの２箇所の折曲部に相当する位置に２箇所の折曲部２６ｂ，２６ｂを有するものとして構成してもよい。
【００６６】
この実施の形態において、補助椅子２９の補助椅子枠体２６は、上側連結バー２１ｂの長さに相当する幅を有し、上側連結バー２１ｂの２箇所の折曲部に相当する位置に２箇所の折曲部２６ｂ，２６ｂを有している。
【００６７】
この補助椅子２９は、上側連結バー２１ｂに対して、スライダを介して取付けられている。この補助椅子２９は、座面シート２４の下方に収納される状態と、この座面シート２４の前方側に引き出される状態とに亘って、前後方向にスライド可能となされている。このようにスライドされるとき、補助椅子枠体２６は、２箇所の折曲部２６ｂ，２６ｂが展開されて略々平面状である状態となっている。
【００６８】
座面２６ａには、座面シート２４の前方側に引き出された状態において、２箇所の折曲部２６ｂ，２６ｂの外側部分が図５中に矢印Ｄで示す下方側に折曲することを防止する機構が設けられている。このような機構は、座面２６ａを所定の厚みを有する板状体として構成し上面部に蝶番を設けることや、掛合フックを設けることなどによって構成することができる。また、このベビーカーにおいて、座面２６ａは、補助椅子２９の使用状態において両側部分を各前脚１２，１２に掛合させてこれら前脚１２，１２によって支持されるようにするため、この両側部分に掛合フックを有することとしてもよい。
【００６９】
この補助椅子２９は、補助椅子枠体２６に対して折り畳み可能で、かつ、伸縮可能となされた２本の補助椅子脚部２８を有している。これら補助椅子脚部２８は、上側連結バー２１ｂに対してスライド可能に支持された補助椅子枠体２６に対し、基端部が回動可能に取付けられている。また、これら補助椅子脚部２８は、上端側と下端側とが互いに外径の異なる円筒状の部材により構成されており、小径の部材が大径の部材内に嵌入していることによって、伸縮可能となっており、それぞれの中途部に伸縮固定部２８ｂを備えている。この伸縮固定部２８ｂは、例えば、補助椅子脚部２８をなす大径の部材に設けられたネジ溝に螺合されており、この大径の部材に対して締め込まれることにより、小径の部材の移動（伸縮）を阻止するようになっている。
【００７０】
また、補助椅子枠体２６は、ベビーカーの左右一対の前脚１２，１２に掛合させてこれら前脚１２，１２によって支持されるための左右一対の掛合フック部材２６ｃを有している。これら掛合フック部材２６ｃは、補助椅子枠体２６に対して基端側を回動可能に取付けられており、先端側には、各前脚１２，１２に対して掛合する一対の掛合手段３０，３０が設けられている。これら掛合手段３０，３０は、ベビーカーの左右一対の前脚１２，１２を挟持して、これら前脚１２，１２に掛合するように構成されている。これら掛合手段３０，３０は、前脚１２，１２をバネ力によって挟持するためのバネや、あるいは、前脚１２，１２をネジ止めによって挟持するための止めネジ等を備えている。
【００７１】
このベビーカーにおいては、ベビーカーを展開状態とし、補助椅子２９を座面シート２４の前方側に引き出した状態において、補助椅子脚部２８を展開して伸長させ、各掛合フック部材２６ｃの掛合手段３０，３０を前脚１２，１２に掛合させることにより、補助椅子２９が補助椅子脚部２８及びベビーカーの前脚１２，１２によって支持され、この補助椅子２９が使用可能となる。
【００７２】
なお、この補助椅子２９は、前述のように、補助椅子脚部２８を２本備えているものに限定されず、補助椅子脚部２８を１本備えているものとしてもよい。１本の補助椅子脚部２８を備えていれば、補助椅子２９は、この補助椅子脚部２８及びベビーカーの前脚１２，１２により安定して支持されることができる。すなわち、この補助椅子２９においては、補助椅子脚部２８及び左右一対の前脚１２，１２との共働によって支持されるようになっているため、補助椅子脚部２８の本数は、１本乃至２本でよく、構造が簡素化されている。
【００７３】
また、この実施の形態において、補助椅子脚部２８は、伸縮可能であるものに限定されず、中途部に関節部を有し、この関節部において折り畳み可能となっているものであってもよい。
【００７４】
そして、このベビーカーにおいては、補助椅子２９の補助椅子脚部２８を折り畳み、この補助椅子２９を座面シート２４の下方に収納した状態とし、各手押杆１５，１５の上端部同士を連結している連結部材２５に設けられている操作装置２５ａを操作すると、ロック部材２０，２０とブラケット１９，１９との係合が離脱され、図５中に矢印Ｃで示すように、アームレスト１６，１６及び前後連結バー２３，２３が手押杆１５，１５との各回動可能な接続点を中心として上方に回動可能となる。そして、各前脚１２，１２と各後脚１４，１４とが略々平行となる状態に、折り畳まれることができる。
【００７５】
そして、左右の手押杆１５，１５を前方に移動させると、連結部材２５、前側連結バー２１ａ、上側連結バー２１ｂ及び後側連結バー２２がそれぞれの２箇所の折曲部において折曲され、これら連結部材２５、前側連結バー２１ａ、上側連結バー２１ｂ及び後側連結バー２２の両端側が前方に向けて折り曲げられ、このベビーカーは、３つ折り状態に折り畳むことができる。このとき、補助椅子２９の補助椅子枠体２６も、各折曲部２６ｂ，２６ｂにおいて折曲されて、３つ折り状態となされる。すなわち、補助椅子２９の補助椅子枠体２６は、座面シート２４の下方側部分に沿った状態となされて、各折曲部２６ｂ，２６ｂにおいて折曲されるので、上側連結バー２１ｂの折曲部における折曲を阻害することがない。
【００７６】
なお、補助椅子２９の座面２６ａは、各折曲部２６ｂ，２６ｂにおいて折曲されて３つ折りとされた状態で、座面シート２４の下方に収納される状態と、この座面シート２４の前方側に引き出される状態とに亘って、前後方向にスライド可能であることとしてもよい。
【００７７】
〔ベビーカー用補助椅子の実施の形態〕
そして、本発明に係るベビーカー用補助椅子は、図６に示すように、補助椅子枠体２６と、この補助椅子枠体２６に対して折り畳み可能に取付けられた１本乃至２本の補助椅子脚部２８とを有して構成される。補助椅子枠体２６には、座面２６ａが取付けられている。
【００７８】
補助椅子枠体２６は、例えば、座面シート２４の背もたれ部の背面部分に設けられる収納部（収納ポケット）に収納可能な大きさとなされており、あるいは、２つ折り、または、３つ折りされることにより、収納部（収納ポケット）に収納可能な大きさとなるように構成されている。
【００７９】
そして、補助椅子枠体２６には、ベビーカーの左右一対の前脚１２，１２、または、ベビーカーの前脚１２及び後脚１４に対して掛合する一対の掛合手段３０，３０が設けられている。これら掛合手段３０，３０は、ベビーカーの左右一対の前脚１２，１２、または、ベビーカーの前脚１２及び後脚１４を挟持して、これら前脚１２等に掛合するように構成されている。これら掛合手段３０，３０は、前脚１２等をバネ力によって挟持するためのバネや、あるいは、前脚１２等をネジ止めによって挟持するための止めネジ３０ａ等を備えている。
【００８０】
このベビーカー用補助椅子においては、各掛合手段３０，３０をベビーカーの左右一対の前脚１２，１２、または、ベビーカーの前脚１２及び後脚１４に掛合させると、補助椅子脚部２８が左右一対の前脚１２，１２、または、前脚１２及び後脚１４と共働して補助椅子枠体２６を支持し、使用可能な状態となる。
【００８１】
なお、このベビーカー用補助椅子において、各掛合手段３０，３０間の間隔は、左右一対の前脚１２，１２間、または、前脚１２及び後脚１４間の様々な間隔に対応させるために、調整可能としておいてもよい。各掛合手段３０，３０間の間隔を調整可能とするには、例えば、補助椅子枠体２６の縁部分にガイドレールを設け、このガイドレールによって各掛合手段３０，３０の少なくとも一方が水平方向（補助椅子枠体２６の縁に沿う方向）に移動可能に支持されるようにする。
【図面の簡単な説明】
【００８２】
【図１Ａ】本発明に係るベビーカーの第１の実施の形態における構成を示す斜視図である。
【図１Ｂ】前記ベビーカーの第１の実施の形態における要部の構成を示す平面図である。
【図２】前記ベビーカーを３つ折りにした状態を示す正面図である。
【図３】前記ベビーカーの第２の実施の形態における構成を示す斜視図である。
【図４】前記ベビーカーの第３の実施の形態における構成を示す斜視図である。
【図５】前記ベビーカーの第４の実施の形態における構成を示す斜視図である。
【図６】本発明に係るベビーカー用補助椅子をベビーカーに取り付けた状態を示す斜視図である。
【図７】従来のベビーカーの構成を示す斜視図である。
【符号の説明】
【００８３】
１２  前脚
１４  後脚
１５  手押杆
１６  アームレスト
２３  前後連結バー
２６  補助椅子枠体
２７  スライダ
２８  補助椅子脚部
２９  補助椅子
３０  掛合手段
【図１Ａ】
2005349996.tif 000003
【図１Ｂ】
2005349996.tif 000004
【図２】
2005349996.tif 000005
【図３】
2005349996.tif 000006
【図４】
2005349996.tif 000007
【図５】
2005349996.tif 000008
【図６】
2005349996.tif 000009
【図７】
2005349996.tif 000010
【手続補正書】
【提出日】平成16年9月1日(2004.9.1)
【手続補正１】
【補正対象書類名】明細書
【補正対象項目名】００２９
【補正方法】変更
【補正の内容】
【００２９】
〔ベビーカーの第１の実施の形態〕
このベビーカーは、図１Ａに示すように、下端部に前輪１１，１１が取付けられた左右一対の前脚１２，１２及び下端部に後輪１３，１３が取付けられた左右一対の後脚１４，１４を有している。これら前脚１２，１２及び後脚１４，１４の上端部は、左右一対のアームレスト１６，１６に回動可能に取付けられている。